(57)【要約】【課題】ハンガーロッドからの脱落を防止することのできる吊り下げ式薬剤容器を提供する。【解決手段】吊り下げ式薬剤容器１は、薬剤を収容する薬剤収容部２と、この薬剤収容部２の上端部に設けられたハンガー部３とで構成されている。ハンガー部３は、一対の支持部９、１０を有している。一方の支持部１０の先端部には、ヒンジ部１２を介して架橋部材１３が一体的に連設されている。ヒンジ部１２は、支持部１０及び架橋部材１３よりも遙かに薄肉状であって、これにより架橋部材１３のヒンジ部１２を中心とした閉方向Ｃと開方向Ｏへの回動自在性が確保されている。架橋部材１３は、逆Ｕ字状であって、先端部内側には、凹溝からなる係合部１４が形成されている。また、他方の支持部９の先端部外側には、前記係合部１４と係合可能な凸部からなる被係合部１５が形成されている。【選択図】      図１
2004154030.tif 000002
【特許請求の範囲】
【請求項１】
薬剤を収容する薬剤収容部と、ハンガーロッドに係合する係合手段とを備える吊り下げ式薬剤容器において、
前記係合手段は、間隔を置いて相対向する一対の支持部と、この両支持部間に形成され前記ハンガーロッドを受容する空間部と、前記支持部間に着脱自在に配置されて前記空間部内に受容された前記ハンガーロッドの上部に架橋される架橋部材とを備えることを特徴とする吊り下げ式薬剤容器。
【請求項２】
前記支持部材は、前記薬剤収容部の端部に突設され、前記架橋部材は前記支持部の先端部間に着脱自在に配置されることを特徴とする請求項１記載の吊り下げ式薬剤容器。
【請求項３】
前記架橋部材は、一端部を一方の支持部の先端部に回動自在に連結され、他端部に他方の支持部の先端部と着脱自在に係合する係合部を備えることを特徴とする請求項１又は２記載の吊り下げ式薬剤容器。
【請求項４】
前記架橋部材は、両端部に前記両支持部の先端部と着脱自在に係合する係合部を備えることを特徴とする請求項１又は２記載の吊り下げ式薬剤容器。
【請求項５】
前記架橋部材は、逆Ｕ字状であることを特徴とする請求項１又は２記載の吊り下げ式薬剤容器。
【請求項６】
前記架橋部材は、直状であることを特徴とする請求項１又は２記載の吊り下げ式薬剤容器。
【請求項７】
薬剤を収容する薬剤収容部と、この薬剤収容部の端部に設けられてハンガーロッドに係合する係合手段とを備える吊り下げ式薬剤容器において、
前記係合手段は、前記薬剤収容部の端部に間隔を置いて突設され、その先端部が重なり合うように延設された可撓性を有する一対のフックと、この両フックにより囲繞され前記ハンガーロッドを受容する空間部とを備えることを特徴とする吊り下げ式薬剤容器。
【請求項８】
前記空間部は、略円形であることを特徴とする請求項７記載の吊り下げ式薬剤容器。
【発明の詳細な説明】
【０００１】
【発明の属する技術分野】
本発明は、防虫剤、芳香剤、潮解性吸湿剤等の薬剤をハンガーロッドに吊り下げて配置するための吊り下げ式薬剤容器に関する。
【０００２】
【従来の技術】
従来の吊り下げ式薬剤容器は、薬剤を収容する薬剤収容部と、この薬剤収容部の端部に設けられて洋服ダンスやクローゼット等のハンガーロッドに係合するハンガーとを備えている。ハンガーは、合成樹脂等で形成された可撓性を有する円曲状のフックを備え、フックの内側にはハンガーロッドを受容する保持空間部が形成され、またフックの自由端部と薬剤収容部間には、前記ハンガーロッドを前記保持空間部内に挿入するための挿入間隙が形成されている（例えば、特許文献１参照。）。
【０００３】
係る構成において、この吊り下げ式薬剤容器をハンガーロッドに係止させるに際しては、前記薬剤収容部を握持し、挿入間隙をハンガーロッドに宛って押圧する。すると、ハンガーの自由端部がハンガーロッドに圧接して挿入間隙が拡大する方向（半径方向）にフックが弾性変形する。そして、挿入間隙がハンガーロッドの径よりも大きく拡大した時点でハンガーロッドが保持空間部内に受容され、これに伴ってフックが元の形状に弾性復帰するこれにより、吊り下げ式薬剤容器がハンガーロッドに係止されることとなる。
【０００４】
【特許文献１】
特許３１８７７０３号公報
【０００５】
【発明が解決しようとする課題】
しかしながら、従来の吊り下げ式薬剤容器にあっては、前述のように薬剤収容部を握持して挿入間隙をハンガーロッドに宛って押圧し、挿入間隙が拡大する方向にフックを弾性変形させるこれにより、ハンガーロッドに係合させる。このためハンガーロッドに装着後において、洋服ダンスやクローゼット等から衣服を取り出す際に、人体や近傍の洋服が吊り下げ式薬剤容器に触れた場合、挿入間隙が拡大する方向にフックを弾性変形してしまい、吊り下げ式薬剤容器がハンガーロッドから脱落してしまう。しかも、ハンガーロッドの径は統一的ではなく、異なる径のものが種々存在する。したがって、ハンガーロッドの径が小さい場合には、人体や近傍の洋服が吊り下げ式薬剤容器に触れた際のフックの僅かな変形により、吊り下げ式薬剤容器が容易に脱落してしまう。
【０００６】
また、ハンガーロッドへの装着を容易にすべく弾性変形し易い柔軟な素材でフックを形成すると、薬剤収容部に収容されている薬剤が吸湿に伴って重量が増大する吸湿剤や、元来重量の重い薬剤である場合には、その重量により挿入間隙が拡開してしまう。その結果、吊り下げ式薬剤容器がハンガーロッドから外れ易くなってしまったり、脱落が生ずる。逆に、薬剤収容部に収容される薬剤が重くても脱落を防止すべく、硬い素材でフックを形成するとハンガーロッドへの装着が困難となり、さらにはフックが割れてしまうという問題が生ずる。
【０００７】
本発明は、このような従来の課題に鑑みてなされたものであり、ハンガーロッドからの脱落を防止することのできる吊り下げ式薬剤容器を提供することを目的とするものである。
【０００８】
【課題を解決するための手段】
前記課題を解決するために請求項１に係る発明にあっては、薬剤を収容する薬剤収容部と、ハンガーロッドに係合する係合手段とを備える吊り下げ式薬剤容器において、前記係合手段は、間隔を置いて相対向する一対の支持部と、この両支持部間に形成され前記ハンガーロッドを受容する空間部と、前記支持部間に着脱自在に配置されて前記空間部内に受容された前記ハンガーロッドの上部に架橋される架橋部材とを備える。
【０００９】
したがって、ハンガーロッドへの装着に際しては、一対の支持部間の空間部にハンガーロッドをその下部側から受容し、しかる後に支持部間に架橋部材を配置して、この架橋部材を空間部内に受容されたハンガーロッドの上部に架橋する。これにより、両支持部間の空間部は架橋部材により閉塞され、この閉塞された空間部内にハンガーロッドが保持されて、吊り下げ式薬剤容器の装着が完了する。
【００１０】
このように装着状態においては、ハンガーロッドは閉塞された空間部内に保持されることから、このハンガーロッドが設けられている洋服ダンスやクローゼット等から衣服を取り出す際に、人体や近傍の洋服が吊り下げ式薬剤容器に触れても、吊り下げ式薬剤容器がハンガーロッドから脱落してしまうことが防止される。さらに、ハンガーロッドの径が小さい場合や、薬剤収容部に収容されている薬剤が経時的に重量が増大する薬剤であったり、元来重量の重い薬剤であっても、確実にハンガーロッドに保持され、吊り下げ式薬剤容器が脱落してしまうことが防止される。
【００１１】
また、請求項２に係る発明にあっては、前記係合手段は前記薬剤収容部の端部に突設され、前記架橋部材は前記支持部の先端部間に着脱自在に配置される。したがって、ハンガーロッドへの装着に際しては、一対の支持部間の空間部にハンガーロッドをその下部側から受容し、しかる後に支持部の先端部間に架橋部材を配置して、この架橋部材を空間部内に受容されたハンガーロッドの上部に架橋する。これにより、両支持部間の空間部は架橋部材により閉塞され、この閉塞された空間部内にハンガーロッドが保持されて、吊り下げ式薬剤容器の装着が完了する。
【００１２】
また、請求項３に係る発明にあっては、前記架橋部材は、一端部を一方の支持部の先端部に回動自在に連結され、他端部に他方の支持部の先端部と着脱自在に係合する係合部を備える。したがって、ハンガーロッドへの装着に際しては、一対の支持部間の空間部にハンガーロッドをその下部側から受容し、しかる後に架橋部材を回動操作して、その係合部を他方の支持部の先端部に係合させる。これにより、両支持部間の空間部は架橋部材により閉塞され、この閉塞された空間部内にハンガーロッドが保持され、よって、簡単な操作により吊り下げ式薬剤容器の装着が完了する。
【００１３】
また、請求項４に係る発明にあっては、前記架橋部材は、両端部に前記両支持部の先端部と着脱自在に係合する係合部を備える。したがって、ハンガーロッドへの装着に際しては、一対の支持部間の空間部にハンガーロッドをその下部側から受容し、しかる後に各支持部の先端部に架橋部材の両端部に設けられている係合部を係合させる。これにより、両支持部間の空間部は架橋部材により閉塞され、この閉塞された空間部内にハンガーロッドが保持されて、吊り下げ式薬剤容器の装着が完了する。さらに、架橋部材は別体にできるので、強度の強い架橋部材を用いることができる。
【００１４】
また、請求項５に係る発明にあっては、前記架橋部材は、逆Ｕ字状である。したがって、ハンガーロッドの径が大きい場合であっても装着することが可能となる。
【００１５】
また、請求項６に係る発明にあっては、前記架橋部材は、直状である。したがって、架橋部材の形状が単純であることから、成形が容易となる。
【００１６】
また、請求項７に係る発明にあっては、薬剤を収容する薬剤収容部と、この薬剤収容部の端部に設けられてハンガーロッドに係合する係合手段とを備える吊り下げ式薬剤容器において、前記係合手段は、前記薬剤収容部の端部に間隔を置いて突設され、その先端部が重なり合うように延設された可撓性を有する一対のフックと、この両フックにより囲繞され前記ハンガーロッドを受容する空間部とを備える。
【００１７】
したがって、ハンガーロッドへの装着に際しては、薬剤収容部を握持し、フックの先端部付近をハンガーロッドに宛って押圧する。すると、可撓性を有するフックが適宜撓んで、ハンガーロッドが空間部内に受容される。あるいは、両フック間にハンガーロッドを圧入させて両フックを離反する方向に弾性変形させた後、吊り下げ式薬剤容器を水平回転させると、両フックがハンガーロッドにより更に押し開かれて、ハンガーロッドが空間部内に受容される。そして、ハンガーロッドが空間部内に受容されると、両フックが元の形状に弾性復帰して、該両フックの先端部が重なり合う状態となる。これにより、ハンガーロッドが受容された空間部は、両フックにより囲繞されて閉塞され、この閉塞された空間部内にハンガーロッドが保持されて、吊り下げ式薬剤容器の装着が完了する。
【００１８】
このように装着状態においては、ハンガーロッドは閉塞された空間部内に保持されることから、このハンガーロッドが設けられている洋服ダンスやクローゼット等から衣服を取り出す際に、人体や近傍の洋服が吊り下げ式薬剤容器に触れても、吊り下げ式薬剤容器がハンガーロッドから脱落してしまうことが防止される。さらに、ハンガーロッドの径が小さい場合であっても、人体や近傍の洋服が吊り下げ式薬剤容器に触れた際に、吊り下げ式薬剤容器が脱落してしまうことが防止される。
【００１９】
また、請求項８に係る発明にあっては、前記空間部は、略円形である。したがって、空間部の形状が一般的に断面円形であるハンガーロッドの断面形状と略合致することとなり、これにより、ハンガーロッドの径が太い場合であっても、空間部への受容が可能となる。
【００２０】
【発明の実施の形態】
以下、本発明の実施の形態を図に従って説明する。
【００２１】
（第１の実施の形態）
図１は、本発明の第１の実施の形態にかかる吊り下げ式薬剤容器を示すものである。この吊り下げ式薬剤容器１は、合成樹脂で成形されたものであって、薬剤を収容する薬剤収容部２と、この薬剤収容部２の上端部に設けられた係合手段としてのハンガー部３とで構成されている。薬剤収容部２は、開閉可能な表側部材４と裏側部材（図示せず）とからなる函体であって、複数の横桟５と縦桟６とで区画された通気口７が複数形成されている。薬剤収容部２内には、薬剤マット８が収容されている。この薬剤マット８は、紙、不織布、パルプ、リンター、木材、合成樹脂等の液体に対する含浸性を有する素材で形成されており、常温揮散性防虫薬剤が含浸されている。
【００２２】
前記ハンガー部３は、薬剤収容部２の上面の中央部より対象位置（より詳しくは、表側部材４又は裏側部材の上面の中央部より対象位置）に間隔を置いて一体的に突設された一対の支持部９、１０を有している。この支持部９、１０の間隔は、洋服ダンスやクローゼット等に設けられている現存する最大径のハンガーロッドの径よりもやや大きく設定され、支持部９、１０間にハンガーロッドを受容する空間部１１が形成されている。
【００２３】
一方の支持部１０の先端部には、ヒンジ部１２を介して架橋部材１３が一体的に連設されている。ヒンジ部１２は、支持部１０及び架橋部材１３よりも遙かに薄肉状であって、これにより架橋部材１３のヒンジ部１２を中心とした閉方向Ｃと開方向Ｏへの回動自在性が確保されている。架橋部材１３は、逆Ｕ字状であって、先端部内側には、凹溝からなる係合部１４が形成されている。また、他方の支持部９の先端部外側には、前記係合部１４と係合可能な凸部からなる被係合部１５が形成されている。
【００２４】
以上の構成に係る本実施の形態において、ハンガーロッドへの装着に際しては、図示のように係合部１４が被係合部１５に係合している場合には、この係合を解除して架橋部材１３を開方向Ｏに回動させる。これにより、架橋部材１３は支持部１０の外側に位置することとなり、空間部１１の上方は開放状態となる。次に、薬剤収容部２を一方の手で持ち、一対の支持部９、１０間の空間部１１にハンガーロッドをその下部側から受容する。
【００２５】
引き続き、この状態を維持したまま、他方の手で架橋部材１３を閉方向Ｃに回動して、係合部１４を被係合部１５に係合させる。これにより、この架橋部材１３は空間部１１内に受容されたハンガーロッドの上部に架橋されるとともに、両支持部９、１０間の空間部１１は架橋部材１３により閉塞され、この閉塞された空間部１１内にハンガーロッドが保持されて、吊り下げ式薬剤容器１の装着が完了する。
【００２６】
したがって、装着状態においては、ハンガーロッドは閉塞された空間部１１内に保持されることから、このハンガーロッドが設けられている洋服ダンスやクローゼット等から衣服を取り出す際に、人体や近傍の洋服が吊り下げ式薬剤容器１に触れても、吊り下げ式薬剤容器１がハンガーロッドから脱落してしまうことが防止される。さらに、ハンガーロッドの径が小さい場合であっても、人体や近傍の洋服が吊り下げ式薬剤容器１に触れた際に、吊り下げ式薬剤容器１が脱落してしまうことが防止される。
【００２７】
しかも、本実施の形態においては、架橋部材１３がヒンジ部１２を介して支持部１０の先端部に連設されていることから、架橋部材１３を回動して係合部１４を被係合部１５に係合させる簡単な作業により、吊り下げ式薬剤容器１の装着を完了することができる。さらに、架橋部材１３が逆Ｕ字状であることから、ハンガーロッドの径が大きい場合であっても支障なく装着することが可能となる。
【００２８】
（第２の実施の形態）
図２は、本発明の第２の実施の形態にかかる吊り下げ式薬剤容器２０の要部を示すものである。なお、以下の各実施の形態において、吊り下げ式薬剤容器は、薬剤収容部２と、この薬剤収容部２の上端部に設けられたハンガー部とで構成されているが、薬剤収容部２は全て第１の実施の形態と同一の構成であるので図示を省略する。
【００２９】
この第２の実施の形態にかかる吊り下げ式薬剤容器２０のハンガー部２１は、図２（Ａ）に示すように、薬剤収容部２の上面の中央部より対象位置（より詳しくは、表側部材４又は裏側部材の上面の中央部より対象位置）に間隔を置いて一体的に突設された一対の支持部２２、２３を有している。この支持部２２、２３の間隔は、洋服ダンスやクローゼット等に設けられている現存する最大径のハンガーロッドの径よりもやや大きく設定され、支持部２２、２３間にハンガーロッドを受容する空間部２４が形成されている。
【００３０】
一方の支持部２２の先端部には、垂直方向に凹溝２５が形成され、これによりこの凹溝２５の両側に起立する一対の起立片２６、２６が形成されている。さらに、この両起立片２６、２６には、その外側縁部から水平方向に延在するスリット２７が形成されている。
【００３１】
他方の支持部２３の先端部にも、垂直方向に前記凹溝２５と同様の凹溝２８が形成され、これによりこの凹溝２８の両側に起立する一対の起立片２９、２９が形成されている。さらに、この両起立片２９、２９には、内周面には相対向する位置に各々底面が球面状の凹部からなる被係合部３０（一方の被係合部３０のみ図示）が形成されている。
【００３２】
また、架橋部材３１は直状であって前記支持部２２、２３間に架橋可能な長さであるとともに、前記凹溝２５、２８に遊挿可能な幅であって、一端部の相対向する面には前記スリット２７に遊挿可能なピン３２、３２が突設されている。さらに、この架橋部材３１の他端部には、前記ピン３２、３２が突設されている両面に、前記被係合部３０に係合可能な突起からなる係合部３３（一方の係合部３３のみ図示）が形成されている。
【００３３】
以上の構成に係る本実施の形態において、ハンガーロッドへの装着に際しては、図２（Ｂ）に示すように、予めピン３２をスリット２７に遊挿して、架橋部材３１を一方の支持部２２の先端部に回動自在に装着する。次に、薬剤収容部２を一方の手で持ち、一対の支持部２２、２３間の空間部２４にハンガーロッドをその下部側から受容する。引き続き、この状態を維持したまま、他方の手で架橋部材３１を矢印に回動して、係合部３３を被係合部３０に係合させる。これにより、この架橋部材３１は空間部２４内に受容されたハンガーロッドの上部に架橋されるとともに、両支持部２２、２３間の空間部２４は架橋部材３１により閉塞され、この閉塞された空間部２４内にハンガーロッドが保持されて、吊り下げ式薬剤容器１の装着が完了する。
【００３４】
したがって、装着状態においては、ハンガーロッドは閉塞された空間部２４内に保持されることから、このハンガーロッドが設けられている洋服ダンスやクローゼット等から衣服を取り出す際に、人体や近傍の洋服が吊り下げ式薬剤容器１に触れても、吊り下げ式薬剤容器１がハンガーロッドから脱落してしまうことが防止される。さらに、ハンガーロッドの径が小さい場合であっても、人体や近傍の洋服が吊り下げ式薬剤容器１に触れた際に、吊り下げ式薬剤容器１が脱落してしまうことが防止される。
【００３５】
しかも、本実施の形態においては、架橋部材３１が直状であることから、その形状が単純であることから、成形が容易となる。なお、本実施の形態においては、被係合部３０を凹部とし係合部３３を突起としたが、これとは逆に被係合部３０を突起とし係合部３３を凹部としてもよい。
【００３６】
（第３の実施の形態）
図３は、本発明の第３の実施の形態にかかる吊り下げ式薬剤容器４０の要部を示すものである。この第３の実施の形態にかかる吊り下げ式薬剤容器４０のハンガー部４１は、薬剤収容部２の上面の中央部より対象位置（より詳しくは、表側部材４又は裏側部材の上面の中央部より対象位置）に間隔を置いて一体的に突設された一対の支持部４２、４２を有している。この支持部４２、４２の間隔は、洋服ダンスやクローゼット等に設けられている現存する最大径のハンガーロッドの径よりもやや大きく設定され、支持部４２、４２間にハンガーロッドを受容する空間部４３が形成されている。
【００３７】
両支持部４２、４２の上端部側には、その一方の側面４４から他方の側面方向の中途部まで形成された円形の孔からなる被係合部４５と、この被係合部４５に連設され両支持部４２、４２の相対向する面４６側にも開口する連通部４７が設けられている。
【００３８】
また、架橋部材４８は直状であって前記被係合部４５、４５間に架橋可能な長さであるとともに、前記連通部４７に遊挿可能な厚さであって、両端部には前記被係合部４５に遊挿可能な断面円形の係合部４９が設けられている。
【００３９】
以上の構成に係る本実施の形態において、ハンガーロッドへの装着に際しては、図示のように架橋部材４８を取り外した状態で、薬剤収容部２を一方の手で持ち、一対の支持部４２、４２間の空間部４３にハンガーロッドをその下部側から受容する。引き続き、この状態を維持したまま、他方の手で架橋部材４８を持ち、係合部４９を被係合部４５に係合させる。これにより、この架橋部材４８は空間部４３内に受容されたハンガーロッドの上部に架橋されるとともに、両支持部４２、４２間の空間部４３は架橋部材４８により閉塞され、この閉塞された空間部４３内にハンガーロッドが保持されて、吊り下げ式薬剤容器４０の装着が完了する。
【００４０】
したがって、装着状態においては、ハンガーロッドは閉塞された空間部４３内に保持されることから、このハンガーロッドが設けられている洋服ダンスやクローゼット等から衣服を取り出す際に、人体や近傍の洋服が吊り下げ式薬剤容器４０に触れても、吊り下げ式薬剤容器４０がハンガーロッドから脱落してしまうことが防止される。さらに、ハンガーロッドの径が小さい場合であっても、人体や近傍の洋服が吊り下げ式薬剤容器４０に触れた際に、吊り下げ式薬剤容器４０が脱落してしまうことが防止される。
【００４１】
（第４の実施の形態）
図４は、本発明の第４の実施の形態にかかる吊り下げ式薬剤容器５０の要部を示すものである。この第４の実施の形態にかかる吊り下げ式薬剤容器５０のハンガー部５１は、薬剤収容部２の上面の中央部より対象位置（より詳しくは、表側部材４又は裏側部材の上面の中央部より対象位置）に間隔を置いて一体的に突設された一対の支持部５２、５２を有している。この支持部５２、５２の間隔は、洋服ダンスやクローゼット等に設けられている現存する最大径のハンガーロッドの径よりもやや大きく設定され、支持部５２、５２間にハンガーロッドを受容する空間部５３が形成されている。
【００４２】
両支持部５２、５２の上端部側には、その一方の側面５４から他方の側面方向の中途部まで形成された二股状の孔からなる被係合部５５と、この被係合部５５に連設され両支持部５２、５２の相対向する面５６側にも開口する連通部５７が設けられている。
【００４３】
また、架橋部材５８は直状であって前記被係合部５５、５５間に架橋可能な長さであるとともに、前記連通部５７に遊挿可能な厚さであって、両端部には前記被係合部５５に遊挿可能な断面二股状の係合部５９が設けられている。
【００４４】
以上の構成に係る本実施の形態において、ハンガーロッドへの装着に際しては、図示のように係合部５９が被係合部５５に係合して架橋部材５８が架橋されている場合には、一方の手で該架橋部材５８を取り外す。これにより、空間部５３の上方は開放状態となる。引き続き、薬剤収容部２を他方の手で持ち、一対の支持部５２、５２間の空間部５３にハンガーロッドをその下部側から受容する。引き続き、この状態を維持したまま、一方の手に持っている架橋部材５８の係合部５９を被係合部５５に係合させる。これにより、この架橋部材５８は空間部５３内に受容されたハンガーロッドの上部に架橋されるとともに、両支持部５２、５２間の空間部５３は架橋部材５８により閉塞され、この閉塞された空間部５３内にハンガーロッドが保持されて、吊り下げ式薬剤容器５０の装着が完了する。
【００４５】
したがって、装着状態においては、ハンガーロッドは閉塞された空間部５３内に保持されることから、このハンガーロッドが設けられている洋服ダンスやクローゼット等から衣服を取り出す際に、人体や近傍の洋服が吊り下げ式薬剤容器５０に触れても、吊り下げ式薬剤容器５０がハンガーロッドから脱落してしまうことが防止される。さらに、ハンガーロッドの径が小さい場合であっても、人体や近傍の洋服が吊り下げ式薬剤容器５０に触れた際に、吊り下げ式薬剤容器５０が脱落してしまうことが防止される。
【００４６】
（第５の実施の形態）
図５は、本発明の第５の実施の形態にかかる吊り下げ式薬剤容器６０の要部を示すものである。この第５の実施の形態にかかる吊り下げ式薬剤容器６０のハンガー部６１は、薬剤収容部２の上面の中央部より対象位置（より詳しくは、表側部材４又は裏側部材の上面の中央部より対象位置）に間隔を置いて一体的に突設された一対の支持部６２、６２を有している。この支持部６２、６２の間隔は、洋服ダンスやクローゼット等に設けられている現存する最大径のハンガーロッドの径よりもやや大きく設定され、支持部６２、６２間にハンガーロッドを受容する空間部６３が形成されている。
【００４７】
両支持部６２、６２の上端部側には、その一方の側面６４から他方の側面方向の中途部まで形成された矩形の孔からなる被係合部６５、６５が設けられている。この両被係合部６５、６５の高さ位置は若干異なり、一方の被係合部６５の下部と他方の被係合部６５の上部とに連設され両支持部６２、６２の相対向する面６６側にも開口する連通部６７が設けられている。
【００４８】
また、架橋部材６８は直状であって前記被係合部６５、６５間に架橋可能な長さであるとともに、前記連通部６７に遊挿可能な厚さであって、両端部には前記被係合部６５に遊挿可能な断面矩形状の係合部６９が設けられている。
【００４９】
以上の構成に係る本実施の形態において、ハンガーロッドへの装着に際しては、図示のように係合部６９が被係合部６５に係合して架橋部材６８が架橋されている場合には、一方の手で該架橋部材６８を取り外す。これにより、空間部６３の上方は開放状態となる。引き続き、薬剤収容部２を他方の手で持ち、一対の支持部６２、６２間の空間部６３にハンガーロッドをその下部側から受容する。引き続き、この状態を維持したまま、一方の手に持っている架橋部材５８の係合部６９を被係合部６５に係合させる。これにより、この架橋部材６８は空間部６３内に受容されたハンガーロッドの上部に架橋されるとともに、両支持部６２、６２間の空間部６３は架橋部材６８により閉塞され、この閉塞された空間部６３内にハンガーロッドが保持されて、吊り下げ式薬剤容器６０の装着が完了する。
【００５０】
したがって、装着状態においては、ハンガーロッドは閉塞された空間部６３内に保持されることから、このハンガーロッドが設けられている洋服ダンスやクローゼット等から衣服を取り出す際に、人体や近傍の洋服が吊り下げ式薬剤容器６０に触れても、吊り下げ式薬剤容器６０がハンガーロッドから脱落してしまうことが防止される。さらに、ハンガーロッドの径が小さい場合であっても、人体や近傍の洋服が吊り下げ式薬剤容器６０に触れた際に、吊り下げ式薬剤容器６０が脱落してしまうことが防止される。
【００５１】
（第６の実施の形態）
図６は、本発明の第６の実施の形態にかかる吊り下げ式薬剤容器７０の要部を示すものである。この第６の実施の形態にかかる吊り下げ式薬剤容器７０のハンガー部７１は、薬剤収容部２の上面の中央部より対象位置（より詳しくは、表側部材４又は裏側部材の上面の中央部より対象位置）に間隔を置いて一体的に突設された一対の支持部７２、７２を有している。この支持部７２、７２の間隔は、洋服ダンスやクローゼット等に設けられている現存する最大径のハンガーロッドの径よりもやや大きく設定され、支持部７２、７２間にハンガーロッドを受容する空間部７３が形成されている。
【００５２】
両支持部７２、７２の上端部側には、その一方の側面７４から他方の側面方向の中途部まで形成された断面円形の孔からなる被係合部７５と、この被係合部７５に連設され両支持部７２、７２の相対向する面７６側にも開口する連通部７７が設けられている。
【００５３】
架橋部材７８は直状であって前記被係合部７５、７５間に架橋可能な長さであるとともに、前記連通部７７に遊挿可能な厚さであって、両端部には前記被係合部７５に遊挿可能な断面矩形状の係合部７９が設けられている。
【００５４】
なお、連通部７７の奥側端部であって上面には、架橋部材７８が遊嵌可能な凹欠部８０が形成されており、また、被係合部７５の奥側端部の上面にも、係合部７９が遊嵌可能な凹欠部（図示せず）が形成されている。
【００５５】
以上の構成に係る本実施の形態において、ハンガーロッドへの装着に際しては、図６（Ｂ）に示したように架橋部材７８が架橋されている場合には、一方の手で該架橋部材７８を取り外す。これにより、同図（Ａ）に示したように、空間部７３の上方は開放状態となる。引き続き、薬剤収容部２を他方の手で持ち、一対の支持部７２、７２間の空間部７３にハンガーロッドをその下部側から受容する。引き続き、この状態を維持したまま、一方の手に持っている架橋部材７８の係合部７９を被係合部７５に係合させて停止するまで差し込む。これにより、この架橋部材７８は空間部７３内に受容されたハンガーロッドの上部に架橋されるとともに、両支持部７２、７２間の空間部７３は架橋部材７８により閉塞される。
【００５６】
しかる後に薬剤収容部２から手を離すと、吊り下げ式薬剤容器７０の自重により架橋部材７８の下面にハンガーロッドが圧接することとなる。このため、図６（Ａ）に示したように、架橋部材７８の両端部が凹欠部８０に嵌合して、架橋部材７８の抜け止めがなされるとともに、閉塞された空間部７３内にハンガーロッドが保持されて、吊り下げ式薬剤容器７０の装着が完了する。
【００５７】
したがって、装着状態においては、ハンガーロッドは閉塞された空間部７３内に保持され、かつ架橋部材７８の抜け止めがなされていることから、このハンガーロッドが設けられている洋服ダンスやクローゼット等から衣服を取り出す際に、人体や近傍の洋服が吊り下げ式薬剤容器７０に触れても、吊り下げ式薬剤容器７０がハンガーロッドから脱落してしまうことが防止される。さらに、ハンガーロッドの径が小さい場合であっても、人体や近傍の洋服が吊り下げ式薬剤容器７０に触れた際に、吊り下げ式薬剤容器７０が脱落してしまうことが防止される。
【００５８】
（第７の実施の形態）
図７は、本発明の第７の実施の形態にかかる吊り下げ式薬剤容器９０の要部を示すものである。この第７の実施の形態にかかる吊り下げ式薬剤容器９０のハンガー部９１は、薬剤収容部２の上面の中央部に突設された首部１００とこの首部１００の上端部に延設された一対の支持部９２、９２を有している。この支持部９２、９２の間隔は、洋服ダンスやクローゼット等に設けられている現存する最大径のハンガーロッドの径よりもやや大きく設定され、支持部９２、９２間にハンガーロッドを受容する空間部９３が形成されている。
【００５９】
両支持部９２、９２の上端部側には、その一方の側面９４から他方の側面方向の中途部まで形成された楕円状の孔からなる被係合部９５と、この被係合部９５に連設され両支持部９２、９２の相対向する面９６側にも開口する連通部９７が設けられている。
【００６０】
また、架橋部材９８は直状であって前記被係合部９５、９５間に架橋可能な長さであるとともに、前記連通部９７に遊挿可能な厚さであって、両端部には前記被係合部９５に遊挿可能な断面楕円状の係合部９９が設けられている。
【００６１】
以上の構成に係る本実施の形態において、ハンガーロッドへの装着に際しては、図示のように係合部９９が被係合部９５に係合して架橋部材９８が架橋されている場合には、一方の手で該架橋部材９８を取り外す。これにより、空間部９３の上方は開放状態となる。引き続き、薬剤収容部２を他方の手で持ち、一対の支持部９２、９２間の空間部９３にハンガーロッドをその下部側から受容する。引き続き、この状態を維持したまま、一方の手に持っている架橋部材９８の係合部９９を被係合部９５に係合させる。これにより、この架橋部材９８は空間部９３内に受容されたハンガーロッドの上部に架橋されるとともに、両支持部９２、９２間の空間部９３は架橋部材９８により閉塞され、この閉塞された空間部９３内にハンガーロッドが保持されて、吊り下げ式薬剤容器９０の装着が完了する。
【００６２】
（第８の実施の形態）
図８は、本発明の第８の実施の形態にかかる吊り下げ式薬剤容器１１０を示すものである。この第８の実施の形態にかかる吊り下げ式薬剤容器１１０のハンガー部１１１は、薬剤収容部２自体に、上縁部に開放しハンガーロッドを受容する空間部１１３を有し、この空間部１１３の上端両側に一対の支持部１１２、１１２を有している。この支持部１１２、１１２の間隔は、洋服ダンスやクローゼット等に設けられている現存する最大径のハンガーロッドの径よりもやや大きく設定されている。
【００６３】
両支持部１１２、１１２の上端部側には、その一方の側面１１４から他方の側面方向の中途部まで形成された楕円状の孔からなる被係合部１１５と、この被係合部１１５に連設され両支持部１１２、１１２の相対向する面１１６側にも開口する連通部１１７が設けられている。
【００６４】
また、架橋部材１１８は直状であって前記被係合部１１５、１１５間に架橋可能な長さであるとともに、前記連通部１１７に遊挿可能な厚さであって、両端部には前記被係合部１１５に遊挿可能な断面楕円状の係合部１１９が設けられている。
【００６５】
以上の構成に係る本実施の形態において、ハンガーロッドへの装着に際しては、図示のように係合部１１９が被係合部１１５に係合して架橋部材１１８が架橋されている場合には、一方の手で該架橋部材１１８を取り外す。これにより、空間部１１３の上方は開放状態となる。引き続き、薬剤収容部２を他方の手で持ち、一対の支持部１１２、１１２間の空間部１１３にハンガーロッドをその下部側から受容する。引き続き、この状態を維持したまま、一方の手に持っている架橋部材１１８の係合部１１９を被係合部１１５に係合させる。これにより、この架橋部材１１８は空間部１１３内に受容されたハンガーロッドの上部に架橋されるとともに、両支持部１１２、１１２間の空間部１１３は架橋部材１１８により閉塞され、この閉塞された空間部１１３内にハンガーロッドが保持されて、吊り下げ式薬剤容器１１０の装着が完了する。
【００６６】
（第９の実施の形態）
図９は、本発明の第９の実施の形態にかかる吊り下げ式薬剤容器８０の要部を示すものである。この第９の実施の形態にかかる吊り下げ式薬剤容器８０のハンガー部８１は、薬剤収容部２の上面の中央部（より詳しくは、表側部材４又は裏側部材の上面の中央部）に一体的に突設された基部８２を有するともに、この基部８２の両端部さらに突設された一対のフック８３、８３を有している。このフック８３、８３の間隔は、洋服ダンスやクローゼット等に設けられている現存する最大径のハンガーロッドの径よりもやや大きく設定されている。また、このフック８３、８３は可撓性を有するとともに円曲状に形成され、その先端部８４が重なり合うように延設されている。これにより、このハンガー部８１には、一対のフック８３、８３により囲繞された略円形のハンガーロッドを受容するための空間部８５が形成されている。
【００６７】
以上の構成に係る本実施の形態において、ハンガーロッドへの装着に際しては、薬剤収容部２を握持し、フック８３、８３の先端部８４、８４の上部付近をハンガーロッドに宛って押圧する。すると、可撓性を有するフック８３、８３の先端部８４、８４が下方に撓み、あるいは両フック８３、８３が相互に離反する方向に撓み、これにより形成される両フック８３、８３の先端部８４、８４間に形成される間隙から、ハンガーロッドが空間部８５内に侵入して受容される。あるいは、両フック８３、８３間にハンガーロッドを圧入させて両フックを離反する方向に弾性変形させた後、吊り下げ式薬剤容器８０を水平回転させると、両フック８３、８３がハンガーロッドにより更に押し開かれて、ハンガーロッドが空間部８５内に受容される。
【００６８】
そして、ハンガーロッドが空間部８５内に受容されると、両フック８３、８３が図示した元の形状に弾性復帰して、該両フック８３、８３の先端部８４、８４が重なり合う状態となる。これにより、ハンガーロッドが受容された空間部８５は、両フック８３、８３により囲繞されて閉塞され、この閉塞された空間部８５内にハンガーロッドが保持されて、吊り下げ式薬剤容器８０の装着が完了する。
【００６９】
このように装着状態においては、ハンガーロッドは垂直面内において閉塞された空間部８５内に保持されることから、このハンガーロッドが設けられている洋服ダンスやクローゼット等から衣服を取り出す際に、人体や近傍の洋服が吊り下げ式薬剤容器８０に触れても、吊り下げ式薬剤容器８０がハンガーロッドから脱落してしまうことが防止される。さらに、ハンガーロッドの径が小さい場合であっても、人体や近傍の洋服が吊り下げ式薬剤容器８０に触れた際に、吊り下げ式薬剤容器８０が脱落してしまうことが防止される。
【００７０】
しかも、本実施の形態においては、空間部８５が略円形であることから、一般的に断面円形であるハンガーロッドの断面形状と略合致することとなり、これにより、ハンガーロッドの径が太い場合であっても、空間部８５への受容が可能となる。
【００７１】
（第１０の実施の形態）
図１０は、本発明の第１０の実施の形態にかかる吊り下げ式薬剤容器９０の要部を示すものである。この第１０の実施の形態にかかる吊り下げ式薬剤容器９０のハンガー部９１においては、空間部８５の上下方向の径が水平方向の径よりも小さい略楕円形となるようにフック８３、８３が延設されている。他の構成は図７に示した第７の実施の形態と同様であるので、同一部分に同一符号を付して説明を省略する。
【００７２】
したがって、係る実施の形態によれば、ハンガーロッドの径が小さい場合であっても、先端部８４付近とこれに対向する部分Ｐとの間にハンガーロッドを挾持して、安定的に吊り下げ式薬剤容器９０脱落を防止することができる。
【００７３】
なお、フック８３、８３の先端部８４、８４は、水平方向方向に間隔をおいて垂直面内で重なり合っていてもよいし、間隔をおくことなく接触した状態で重なりあっていてもよい。フックの先端部は垂直面内又は水平面内のいずれで重なり合ってもよいし、フックの形状及び薬剤収容部の形状は実施の形態に示したものに限定されるものではない。さらに、薬剤収容部に収容配置される薬剤も実施の形態に示したものに限定されるものではなく、適宜の薬剤を収容するに用いることできる。
【００７４】
【発明の効果】
以上説明したように本発明によれば、ハンガーロッドに装着した状態においては、ハンガーロッドは閉塞された空間部内に保持されることから、このハンガーロッドが設けられている洋服ダンスやクローゼット等から衣服を取り出す際に、人体や近傍の洋服が吊り下げ式薬剤容器に触れても、吊り下げ式薬剤容器がハンガーロッドから脱落してしまうことを防止することができる。さらに、ハンガーロッドの径が小さい場合や、薬剤収容部に収容されている薬剤が経時的に重量が増大する薬剤であったり、元来重量の重い薬剤であっても、確実にハンガーロッドに保持して、吊り下げ式薬剤容器がハンガーロッドから脱落してしまうことを防止することができる。
【図面の簡単な説明】
【図１】本発明の第１の実施の形態を示す正面図である。
【図２】本発明の第２の実施の形態を示す要部斜視図である。
【図３】本発明の第３の実施の形態を示す要部斜視図である。
【図４】本発明の第４の実施の形態を示す要部正面図である。
【図５】本発明の第５の実施の形態を示す要部正面図である。
【図６】本発明の第６の実施の形態を示す要部斜視図である。
【図７】本発明の第７の実施の形態を示す要部正面図である。
【図８】本発明の第８の実施の形態を示す正面図である。
【図９】本発明の第９の実施の形態を示す要部斜視図である。
【図１０】本発明の第９の実施の形態を示す要部斜視図である。
【符号の説明】
１    吊り下げ式薬剤容器
２    薬剤収容部
３    ハンガー部
９    支持部
１０    支持部
１１    空間部
１２    ヒンジ部
１３    架橋部材
１４    係合部
１５    被係合部
２０    吊り下げ式薬剤容器
２１    ハンガー部
２２    支持部
２３    支持部
２４    空間部
２７    スリット
２８    凹溝
３０    被係合部
３１    架橋部材
３３    係合部
４０    吊り下げ式薬剤容器
４１    ハンガー部
４２    支持部
４３    空間部
４８    架橋部材
４９    係合部
５０    吊り下げ式薬剤容器
５１    ハンガー部
５２    両支持部
５２    支持部
５３    空間部
５４    側面
５５    被係合部
５８    架橋部材
５９    係合部
６０    吊り下げ式薬剤容器
６１    ハンガー部
６２    支持部
６３    空間部
６５    被係合部
６８    架橋部材
６９    係合部
７０    吊り下げ式薬剤容器
７１    ハンガー部
７２    支持部
７３    空間部
７５    被係合部
７８    架橋部材
７９    係合部
８０    吊り下げ式薬剤容器
８１    ハンガー部
８３    フック
８４    先端部
８５    空間部
９０    吊り下げ式薬剤容器
９１    ハンガー部
【図１】
2004154030.tif 000003
【図２】
2004154030.tif 000004
【図３】
2004154030.tif 000005
【図４】
2004154030.tif 000006
【図５】
2004154030.tif 000007
【図６】
2004154030.tif 000008
【図７】
2004154030.tif 000009
【図８】
2004154030.tif 000010
【図９】
2004154030.tif 000011
【図１０】
2004154030.tif 000012